【手続補正書】
【提出日】平成18年1月20日(2006.1.20)
【手続補正１】
【補正対象書類名】明細書
【補正対象項目名】特許請求の範囲
【補正方法】変更
【補正の内容】
【特許請求の範囲】
【請求項１】  フレーム内符号化されたＩピクチャと、前画像の動き補償を行うための符号化されたＰピクチャと、前後に位置するＩピクチャ及びＰピクチャを参照画像として動き補償を行うための符号化されたＢピクチャとを含む複数の画像をＧＯＰとして構成された画像データを記録した記録媒体から、上記ＧＯＰ単位に時間的に順方向に上記画像データを読み出す読み出し手段と、
上記読み出された画像データを上記順方向に復号していき、復号されたＩピクチャ又はＰピクチャのフレームデータを得る復号化手段と、
上記復号されたＩピクチャ及び／又はＰピクチャのフレームデータを２フレーム分記憶する記憶手段と、
上記Ｐ、Ｂピクチャの復号に際し、上記記憶手段に記憶されたフレームデータを用いて動き補償する動き補償手段と、
逆方向再生時に、上記ＧＯＰ単位に上記順方向に読み出し、表示ピクチャのデータが得られるまで復号するように、上記読み出し手段及び復号化手段を制御する制御手段と
を有することを特徴とする再生装置。
【請求項２】  上記制御手段は、上記表示ピクチャのフレームデータを得ると、表示を行わせることを特徴とする請求項１記載の再生装置。
【請求項３】  上記復号化手段は、上記表示ピクチャがＢピクチャのとき以外のＢピクチャを復号することを禁止する禁止手段を有することを特徴とする請求項１記載の再生装置。
【請求項４】  再生装置における再生方法であって、
フレーム内符号化されたＩピクチャと、前画像の動き補償を行うための符号化されたＰピクチャと、前後に位置するＩピクチャ及びＰピクチャを参照画像として動き補償を行うための符号化されたＢピクチャとを含む複数の画像をＧＯＰとして構成された画像データを記録した記録媒体から、上記ＧＯＰ単位に時間的に順方向に上記画像データを読み出す読み出し手順と、
上記読み出された画像データを上記順方向に復号していき、復号されたＩピクチャ又はＰピクチャのフレームデータを得る復号化手順と、
上記復号されたＩピクチャ及び／又はＰピクチャのフレームデータを２フレーム分、記憶手段に記憶する記憶手順と、
上記Ｐ、Ｂピクチャの復号に際し、上記記憶手段に記憶されたフレームデータを用いて動き補償する補償手順と、
逆方向再生時に、上記ＧＯＰ単位に上記順方向に読み出し、表示ピクチャのデータが得られるまで復号するように制御する制御手順と
を有することを特徴とする再生方法。
【請求項５】  上記制御手順は、上記表示ピクチャのフレームデータを得ると、表示を行わせることを特徴とする請求項４記載の再生方法。
【請求項６】  上記復号化手順は、上記表示ピクチャがＢピクチャのとき以外のＢピクチャを復号することを禁止する禁止手順を有することを特徴とする請求項４記載の再生方法。
【請求項７】  コンピュータに、
フレーム内符号化されたＩピクチャと、前画像の動き補償を行うための符号化されたＰピクチャと、前後に位置するＩピクチャ及びＰピクチャを参照画像として動き補償を行うための符号化されたＢピクチャとを含む複数の画像をＧＯＰとして構成された画像データを記録した記録媒体から、上記ＧＯＰ単位に時間的に順方向に上記画像データを読み出す読み出し手順と、
上記読み出された画像データを上記順方向に復号していき、復号されたＩピクチャ又はＰピクチャのフレームデータを得る復号化手順と、
上記復号されたＩピクチャ及び／又はＰピクチャのフレームデータを２フレーム分、記憶手段に記憶する記憶手順と、
上記Ｐ、Ｂピクチャの復号に際し、上記記憶手段に記憶されたフレームデータを用いて動き補償する補償手順と、
逆方向再生時に、上記ＧＯＰ単位に上記順方向に読み出し、表示ピクチャのデータが得られるまで復号するように制御する制御手順と
を実行させることを特徴とするプログラムを記憶したコンピュータ読み取り可能な記憶媒体。
【請求項８】  上記制御手順は、上記表示ピクチャのフレームデータを得ると、表示を行わせることを特徴とする請求項７記載のコンピュータ読み取り可能な記憶媒体。
【請求項９】  上記復号化手順は、上記表示ピクチャがＢピクチャのとき以外のＢピクチャを復号することを禁止する禁止手順を有することを特徴とする請求項７記載のコンピュータ読み取り可能な記憶媒体。
【請求項１０】  画面内符号化と画面間符号化とを選択的に用いて符号化された画像信号を記録媒体から再生する再生手段と、
上記再生手段より再生された画像信号を復号する復号手段と、
通常再生モード及び逆転再生モードを含む複数のモードの間でモードを切り換えるモード切り換え手段と、
上記逆転再生モードにおいて、上記記録媒体からの画像信号の再生速度及び上記復号処理の処理速度を上記通常再生モード時よりも高速にする制御手段と
を有することを特徴とする再生装置。
【請求項１１】  上記画像信号は、上記画面内符号化された複数の第１の画面と、上記画面間符号化された複数の第２の画面とを含むことを特徴とする請求項１０記載の再生装置。
【請求項１２】  上記画像信号は、それぞれ上記第１の画面と第２の画面とを含むＧＯＰから構成されることを特徴とする請求項１１記載の再生装置。
【請求項１３】  上記再生手段は上記逆転再生モードにおいて記録時に従う順で上記ＧＯＰを単位として上記画像信号を再生することを特徴とする請求項１２記載の再生装置。
【請求項１４】  上記制御手段は、上記逆転再生モードにおいて、１つのＧＯＰ内で表示すべき画面の画像信号を復号するまで上記記録媒体から上記画像信号の再生を行うべく上記再生手段を制御することを特徴とする請求項１３記載の再生装置。
【請求項１５】  上記復号手段は上記画面間符号化された画像信号の参照画面の復号画像信号のみを記憶可能な容量を有するメモリを含むことを特徴とする請求項１０記載の再生装置。
【手続補正２】
【補正対象書類名】明細書
【補正対象項目名】０００８
【補正方法】変更
【補正の内容】
【０００８】
【課題を解決するための手段】
上記の目的を達成するために、本発明の再生装置は、フレーム内符号化されたＩピクチャと、前画像の動き補償を行うための符号化されたＰピクチャと、前後に位置するＩピクチャ及びＰピクチャを参照画像として動き補償を行うための符号化されたＢピクチャとを含む複数の画像をＧＯＰとして構成された画像データを記録した記録媒体から、上記ＧＯＰ単位に時間的に順方向に上記画像データを読み出す読み出し手段と、上記読み出された画像データを上記順方向に復号していき、復号されたＩピクチャ又はＰピクチャのフレームデータを得る復号化手段と、上記復号されたＩピクチャ及び／又はＰピクチャのフレームデータを２フレーム分記憶する記憶手段と、上記Ｐ、Ｂピクチャの復号に際し、上記記憶手段に記憶されたフレームデータを用いて動き補償する動き補償手段と、逆方向再生時に、上記ＧＯＰ単位に上記順方向に読み出し、表示ピクチャのデータが得られるまで復号するように、上記読み出し手段及び復号化手段を制御する制御手段とを有することを特徴とする。
【手続補正３】
【補正対象書類名】明細書
【補正対象項目名】０００９
【補正方法】変更
【補正の内容】
【０００９】
また、本発明の再生方法は、再生装置における再生方法であって、フレーム内符号化されたＩピクチャと、前画像の動き補償を行うための符号化されたＰピクチャと、前後に位置するＩピクチャ及びＰピクチャを参照画像として動き補償を行うための符号化されたＢピクチャとを含む複数の画像をＧＯＰとして構成された画像データを記録した記録媒体から、上記ＧＯＰ単位に時間的に順方向に上記画像データを読み出す読み出し手順と、上記読み出された画像データを上記順方向に復号していき、復号されたＩピクチャ又はＰピクチャのフレームデータを得る復号化手順と、上記復号されたＩピクチャ及び／又はＰピクチャのフレームデータを２フレーム分、記憶手段に記憶する記憶手順と、上記Ｐ、Ｂピクチャの復号に際し、上記記憶手段に記憶されたフレームデータを用いて動き補償する補償手順と、逆方向再生時に、上記ＧＯＰ単位に上記順方向に読み出し、表示ピクチャのデータが得られるまで復号するように制御する制御手順とを有することを特徴とする。
【手続補正４】
【補正対象書類名】明細書
【補正対象項目名】００１０
【補正方法】変更
【補正の内容】
【００１０】
また、本発明の記憶媒体は、コンピュータに、フレーム内符号化されたＩピクチャと、前画像の動き補償を行うための符号化されたＰピクチャと、前後に位置するＩピクチャ及びＰピクチャを参照画像として動き補償を行うための符号化されたＢピクチャとを含む複数の画像をＧＯＰとして構成された画像データを記録した記録媒体から、上記ＧＯＰ単位に時間的に順方向に上記画像データを読み出す読み出し手順と、上記読み出された画像データを上記順方向に復号していき、復号されたＩピクチャ又はＰピクチャのフレームデータを得る復号化手順と、上記復号されたＩピクチャ及び／又はＰピクチャのフレームデータを２フレーム分、記憶手段に記憶する記憶手順と、上記Ｐ、Ｂピクチャの復号に際し、上記記憶手段に記憶されたフレームデータを用いて動き補償する補償手順と、逆方向再生時に、上記ＧＯＰ単位に上記順方向に読み出し、表示ピクチャのデータが得られるまで復号するように制御する制御手順とを実行させることを特徴とするプログラムを記憶する。
【手続補正５】
【補正対象書類名】明細書
【補正対象項目名】００１１
【補正方法】変更
【補正の内容】
【００１１】
また、本発明の他の再生装置は、画面内符号化と画面間符号化とを選択的に用いて符号化された画像信号を記録媒体から再生する再生手段と、上記再生手段より再生された画像信号を復号する復号手段と、通常再生モード及び逆転再生モードを含む複数のモードの間でモードを切り換えるモード切り換え手段と、上記逆転再生モードにおいて、上記記録媒体からの画像信号の再生速度及び上記復号処理の処理速度を上記通常再生モード時よりも高速にする制御手段とを有することを特徴とする。